(57)【要約】【課題】混合すべき薬剤をミキシングシート内で別々に保管し、使用時に混合する。複数の薬剤量が、混合割合に応じてそれぞれ異なる場合でも、容易に薬剤量の調整ができるミキシングシートを提供する。【解決手段】二以上の薬剤を通過させ、薬剤を混合する複数の混合用通路２４と、混合用通路２４に薬剤を流入させる流入口２１と、混合用通路２４を通過した混合物を吐出する吐出口２２と、を備える。ミキシングシート２０内には収納部２３を設け、複数の薬剤収納袋１０ａ、１０ｂを適宜選択し格納する。薬剤充填袋１０ａ、１０ｂは、外部から加圧されることで一部が破断して開口可能である。薬剤充填袋１０ａ、１０ｂから流出した薬剤は流入口２１を経て混合用通路２４へ流入する。【選択図】図１
2007268447.tif 000002
【特許請求の範囲】
【請求項１】
少なくとも二以上の薬剤を通過させることで、これらの薬剤を混合するための複数の混合用通路と、これらの混合用通路に薬剤を流入させる流入口と、前記混合用通路を通過した混合物を吐出する吐出口と、を備えた二以上の薬剤を混合するミキシングシートにおいて、
前記ミキシングシート内には薬剤充填袋の収納部を設けて、この収納部には二以上の薬剤収納袋を格納し、  
それぞれの薬剤充填袋は、薬剤を内包した状態で外部から加圧されることで一部が破断して開口可能であって、
前記流入口は、前記収納部と前記混合用通路とが連通するように設けられ、
一部が破断して開口したときは、薬剤充填袋から流出した薬剤が前記流入口を経て混合用通路へ流入することを特徴とするミキシングシート。
【請求項２】
前記薬剤充填袋のそれぞれには、互いに異なる種類の薬剤が、所望の混合割合に基づいて予め充填され、混合する薬剤の混合割合と混合量に基づいて任意の薬剤充填袋を選択し、前記収納部へ格納することを特徴とする請求項１に記載のミキシングシート。
【請求項３】
薬剤の混合割合に基づいて、容量が異なる複数の薬剤充填袋が使用される請求項１または２に記載のミキシングシート。
【請求項４】
薬剤充填袋は、内包する薬剤に対して耐性を有する二枚のフィルムの周囲を互いに接着させた接着部を備え、前記接着部の一部を破断しやすい脆弱部としたことを特徴とする請求項１から３のいずれかに記載のミキシングシート。
【請求項５】
前記ミキシングシートは、複数のフィルムを重ね合わせることで形成され、前記収納部は、周囲を接着して形成された非接着空間であって、前記収納部に連通する開閉端部から挿入された複数の前記薬剤充填袋が、並列または重合状態で収納部内に格納されていることを特徴とする請求項１から４のいずれかに記載のミキシングシート。
【請求項６】
前記混合用通路は、一の混合用通路と他の混合用通路とが分割、集合を繰り返すことにより、これらの混合用通路を通過する薬剤の混合を促進させることを特徴とする請求項１から５いずれかに記載のミキシングシートに用いる薬剤充填袋。
【請求項７】
前記混合用通路は、混合すべき薬剤が流入することでその断面積が拡大し、ミキシングシートの外部より混合用通路の流入口から吐出口に向かって混合用通路を押圧することにより、通過する薬剤を混合させることを特徴とする請求項１から６のいずれかに記載のミキシングシート。
【発明の詳細な説明】
【技術分野】
【０００１】
本発明は、シール剤、コーキング剤、接着剤、印象材等の二以上の薬剤を混合するためのミキシングシートに関するものである。
【背景技術】
【０００２】
二液型エポキシ系接着剤等の二液を混合させることによって硬化する二液反応性樹脂は、二液を接触させると硬化反応が開始するため、使用直前にこれらを混合しなければならない。
このような場合、例えば、二液の混合機能と、混合される二液を夫々収納する収納機能と、を備える混合容器等を用いて二液を別々に保存し、使用時に前記二液を混合させていた。
【０００３】
一方、上記のような混合のために用いられるミシキングシートは、複数の反応性薬剤が混合用通路を通過し、混合されて外部に送り出されることを促進するため、外部から押圧可能な柔軟性を備えるものが望ましい。このような要求を満たす材質として、例えば、ラミネートフィルムがあり、一般的には、ミキシングシートは、ラミネートフィルムを加熱、圧着することにより製造されていた。
【特許文献１】特開２００４−２４９２８２号公報
【発明の開示】
【発明が解決しようとする課題】
【０００４】
上記のミキシングシートは種々の薬剤の混合に用いられているが、薬剤を内部に保管しておく構造にすると、例えば、エポキシ樹脂を混合する場合には、エポキシ樹脂の成分によりラミネート接着が剥離することがある。この対策としては、ミキシングシートの材質について、薬剤に対して耐性があるものを選択することが考えられる。
しかし、複数の薬剤を混合するためのミキシングシートは、少なくとも二以上の物性の異なる薬剤を同時に保管する必要があり、二液が相反する保存条件を要求することも多々ある。したがって、単一材料からなるミキシングシートによって、常に、保管する薬剤に対する耐性を備えたものを製造することは困難である。
【０００５】
薬剤の物性によってミキシングシート内での保管が困難な場合、薬剤を別々の容器で保管しておき、使用時にミキシングシート内にそれぞれの薬剤を流入させるようにしたのでは、作業が煩雑である。例えば、混合しようとする薬剤の数に応じたピストン付きのガン（注入用容器）等をミキシングシートに接続し、複数の薬剤をミキシングシート内に流入させる必要があった。
また、混合割合が一定でない場合、混合しよとする複数の薬剤のそれぞれの量を、混合時に調整することは面倒であった。
【０００６】
本発明は、かかる事情に鑑みてされたものであり、混合すべき二以上の薬剤の物性がそれぞれ異なるものであっても、それらの薬剤を適切にミキシングシート内で保管しておき、使用時にそれらを素早く混合することが可能なミキシングシートを提供することを目的とする。
また、複数の薬剤量が、混合割合に応じてそれぞれ異なる場合であっても、容易に薬剤量の調整ができるミキシングシートを提供することを目的とする。
【課題を解決するための手段】
【０００７】
本発明に係るミキシングシートは、上記のような技術的課題を解決するために以下のよ
うに構成されている。
すなわち、少なくとも二以上の薬剤を通過させることで、これらの薬剤を混合するための複数の混合用通路と、これらの混合用通路に薬剤を流入させる流入口と、前記混合用通路を通過した混合物を吐出する吐出口と、を備えた二以上の薬剤を混合するミキシングシートにおいて、
前記ミキシングシート内には薬剤充填袋の収納部を設けて、この収納部には二以上の薬剤収納袋を格納し、それぞれの薬剤充填袋は、薬剤を内包した状態で外部から加圧されることで一部が破断して開口可能であって、前記流入口は、前記収納部と前記混合用通路とが連通するように設けられ、一部が破断して開口したときは、薬剤充填袋から流出した薬剤が前記流入口を経て混合用通路へ流入することを特徴とする。
【０００８】
ここで薬剤とは、薬事法にいう医薬品、医薬部外品、化粧品に限られるものではなく、他の物質と混合されることで反応する物質を幅広く指すものである。  
本発明のミキシングシートは、例えば、複数のフィルムを重ね合わせることで形成され、前記収納部は周囲を接着して形成された非接着空間とすることができる。この収納部に連通する開閉端部から挿入された複数の薬剤充填袋を、並列または重合状態で収納部内に格納する。
前記ミキシングシート内に格納される薬剤充填袋は、その材質が薬剤に対して耐性のあるものが選択される。したがって、ミキシングシート自体の材質は、薬剤の種類によって左右されずに自由に選択できる。
【０００９】
一方、薬剤については、ミキシングシート内での成分及び品質の劣化または変化が抑制される。成分及び品質の劣化または変化とは、薬剤のゲル化、反応性の失活、変色、異臭発生、固化、熱の発生、爆発等が挙げられるが、本発明では、これらを抑制しながら複数の薬剤の同時保存を可能にする。
上記のように、薬剤充填袋を収納部に格納することでミキシングシートと一体化するので、薬剤の保管や持ち運びが便利になる。
【００１０】
なお、前記薬剤とは、主に他の異なる物質と混合することにより反応し、この反応状態で使用されるものである。例えば、エポキシ基をアミン系あるいは酸無水物系の開始剤で重合させるエポキシ樹脂、アルキルシリケートでポリシロキサンを重合させる歯科用シリコーン印象材、モノマーと水系ポリマーを反応させる歯科用セメント等が例示できる。要するに、互いに反応しないように保管時においては別々に保存され、使用時に混合させて反応させる二種以上の物質であり、様々なものが含まれる。
【００１１】
前記薬剤充填袋のそれぞれには、異種類の薬剤が、所望の混合割合に基づいて予め充填され、混合する薬剤の混合割合と混合量に基づいて任意の薬剤充填袋を選択して前記収納部へ格納することが可能である。
例えば、ＡとＢの二種の薬剤を２：１の割合で混合する場合、Ａを収納した薬剤充填袋を二つ、及びBを収納した薬剤充填袋を一つ、を選択することができる。
また、薬剤の混合割合に基づいて、容量が異なる複数の薬剤充填袋を使用するようにしてもよい。すなわち、Ａ、Ｂの二種の薬剤を２：１の割合で混合する場合、容量が２：１である二種類の薬剤充填袋を選択することができる。
【００１２】
前記薬剤充填袋は、内包する薬剤に対して耐性を有する二枚のフィルムの周囲を互いに接着させた接着部を備え、前記接着部の一部を破断しやすい脆弱部とすることが好ましい。
このような薬剤充填袋を内包したミキシングシートが外部から押圧されることにより、接着強度が比較的脆弱な開閉端部が破れることで、一端に開口部が形成される。
【００１３】
外部からの押圧によって形成される前記開口部は、一定の圧力によって開口できるものであればよく、その構成は限定されるものではない。一例を示せば、薬剤充填袋の端部を溶着する場合には、開口すべき箇所の溶着温度を他の溶着部分よりも低くし、または溶着面積を小さくして、その開口すべき部分のみ他の接着部に比べ容易に剥離可能にする等の方法によって形成することができる。
【００１４】
また、前記混合用通路は、一の混合用通路と他の混合用通路とが分割、集合を繰り返すことにより、これらの混合用通路を通過する薬剤の混合を促進させるようにすることが可能である。
前記混合用通路は、混合すべき薬剤が流入することでその断面積が拡大し、ミキシングシートの外部より混合用通路の流入口から吐出口に向かって混合用通路を押圧することにより、通過する薬剤を混合させることが好適である。
【００１５】
本発明に係るミキシングシートは、収納部に薬剤充填袋を内包した状態で加圧することにより、収納されている薬剤がミキシングシートの流入口に流入する。
【００１６】
さらに、前記薬剤充填袋とミキシングシートは、柔軟性を備えることが好ましい。この柔軟性の程度は、薬剤充填袋と、これを内包したミキシングシートとを、外部から手指等で押し潰せる程度の柔らかさである。このような柔軟性を備えることにより、外部からミキシングシートを押しつぶし、混合用通路を通過する薬剤を混合し、絞り出すこともできる。したがって、薬剤の無駄を少なくすることができる。
【００１７】
本発明に係る薬剤充填袋を用いるミキシングシートの複数の混合用通路は、一の混合用通路と他の混合用通路とが分割、集合を繰り返すことで、通過する薬剤を混合可能にすることができる。複数の混合用通路が分割、集合を繰り返すように形成されることに伴い、内部を通過する薬剤の分割、集合を生じさせ、混合用通路を通過する過程において複数の薬剤の混合を可能にする。
【００１８】
また、前記ミキシングシートは、混合用通路に混合すべき薬剤が流入することで膨張し、その断面積が大きくなる。したがって、混合用通路の流入口から吐出口に向かって混合用通路を潰すように押圧することで、通過する薬剤を混合させることができる。
前記混合用通路を通過する薬剤は、混合用通路の断面積の変化により圧縮力及びせん断力を受けつつ混合されることが好ましい。このように薬剤に圧縮力とせん断力が作用すれば、複数の薬剤をより効率よく混合することが可能となる。
【００１９】
ところで、前記ミキシングシートで混合される薬剤は、アミン、メタクリル酸エステル系モノマー、酸性水溶液、及び有機溶剤のうち少なくともいずれかを含有する場合がある。このような薬剤は、ミキシングシートの材質として多用されるポリエチレンを通過して、ラミネートフィルムを構成する接着剤を破壊し、ラミネートフィルムを層間剥離させる場合がある。
一般的には、このような場合の対策として、厚みの大きいフィルムを用いて通過を阻止する方法、アルミなどの金属をラミネートフィルムに積層させる方法、フィルムをバリア性の高い樹脂層を積層して共押出で製造する方法等が挙げられる。
【００２０】
しかし、上記のような方法では、次のような問題がある。
すなわち、フィルムの厚みが増加すると、加工のし易さが失われ、コスト高になる。また、ラミネートフィルムに金属を積層させると、アルミを貼り合わせる際に接着剤を使用するため、アミンの影響を受ける。さらに、共押出品のフィルムは、加工できる樹脂の種類が限られ、広く普及させることが困難であり、また、前記アミン等を含有する薬剤をラミネートフィルムに収納することは困難であった。
【００２１】
本発明によれば、アミン、メタクリル酸エステル系モノマー、酸性水溶液、及び有機溶剤を含んだ薬剤であっても、耐性のある材質からなる薬剤充填袋に収納するため、ラミネートフィルムの層間剥離のおそれが少ない。よって、ミキシングシートの材質を選ばず、アミン等を含有する薬剤をそれぞれ適した状態で保存することが可能となる。
【００２２】
また、本発明を好適に利用できる薬剤の組み合わせとしては、酸素が必要な薬剤と酸素を遮断すべき薬剤との組み合わせが例示できる。この場合、単一素材のミキシングシートでは、酸素透過性と酸素遮断性とを両立させることはできない。このように性質が異なる（相反する）薬剤を収納する場合には、本発明のミキシングシートが効果的に用いられる。
【発明の効果】
【００２３】
本発明によれば、薬剤に対する耐性を有する薬剤充填袋に薬剤を保存するため、ミキシングシート自体の材質に影響されずに幅広い薬剤の保存が可能となる。
また、混合すべき二以上の薬剤の物性がそれぞれ異なるものであっても、それらの薬剤を共にミキシングシート内に保存しておき、薬剤の使用時にそれらを素早く混合することができる。すなわち、複数の薬剤の保存、管理、運搬、混合及び使用を一つのミキシングシートにより実現できる。
さらに、複数の薬剤量が、混合割合に応じてそれぞれ異なる場合であっても、薬剤充填袋の数や容量を適宜選択することで、容易に薬剤量の調整が可能になる。
【発明を実施するための最良の形態】
【００２４】
以下、本発明に係るミキシングシートに用いる薬剤充填袋の実施の形態を、図面を参照して説明する。
【００２５】
図１は、本実施の形態に係る薬剤充填袋１０ａ、１０ｂと、これを用いるミキシングシート２０の平面図である。図２は、ミキシングシート２０を形成するフィルム２０ａ〜２０ｅの平面図である。
本実施の形態では、二つの薬剤充填袋１０ａ、１０ｂを用い、二種類の薬剤Ａ、Ｂをミキシングシート２０にて混合する場合を説明する。
【００２６】
薬剤充填袋１０ａ及び薬剤充填袋１０ｂは、共に、二枚のフィルムを重ね合わせ、図１に示すように、これらの周端１３を溶着することにより、全体を袋状に形成すればよい。これらの薬剤充填袋１０ａ及び薬剤充填袋１０ｂの上端部（開閉端部）１１は、他の三辺の端部より低い温度で溶着することにより、他の溶着部よりも剥離し易く形成される。このような開閉端部１１を設けることで、薬剤充填袋が格納された状態で、ミキシングシート２０の外部から収納部２３を手指等で加圧することで、薬剤充填袋１０ａ、１０ｂの当該開閉端部１１が破れて開口し、この開口部分から流出した薬剤Ａ、Ｂをミキシングシート２０の流入口２１に導くことができる。
【００２７】
ミキシングシート２０は、合計五枚のフィルム２０ａ〜２０ｅによって形成されている。以下、説明のため上部に位置するフィルムから２０ａ、２０ｂ、２０ｃ、２０ｄ、２０ｅと番号を付して説明する。図２（ａ）は、フィルム２０ａと、フィルム２０ｅを裏返した平面図である。フィルム２０ａ、２０ｅは、ナイロンとポリプロピレンを貼り合わせたラミネートフィルムであり、隣り合うフィルム２０ｂ又は２０ｄとの溶着面はポリプロピレンである。上記のミキシングシート２０と薬剤収納袋１０ａ、１０ｂは、ここでは透明なものを用いているが、薬剤の種類によっては遮光性を有するものを使用する。
【００２８】
なお、図２（ａ）から（ｃ）において、ハッチングが付されている部分は、切抜き部分
であり、隣り合うフィルムと溶着されない部分を示している。ミキシングシート２０は、この切り抜き部分と、ポリフィルムの溶着面の物性が異なると溶着できない性質と、を利用して溶着しない箇所を混合用通路２４として形成することができる。
【００２９】
図２（ｂ）は、フィルム２０ｂと、フィルム２０ｄを裏返した平面図であり、図２（ｃ）は、フィルム２０ｃの平面図である。フィルム２０ｃは、ポリプロピレンの単層フィルムである。ミキシングシート２０は、フィルム２０ａ〜２０ｅを溶着することによって製造される。図２（ｄ）は、フィルム２０ａ〜２０ｅを全て溶着したものである。
【００３０】
また、ミキシングシート２０の他の製造方法として、図３（ａ）（ｂ）に示すフィルム２０ｆ、２０ｇを用いる方法が例示できる。まず、図３（ａ）に示すフィルム２０ｆに、図３（ｂ）に示す穴が形成されていないフィルム２０ｇを重ね合わせて、図３（ｃ）のヒータ（加熱部分はハッチングを付して示す）によって加熱溶着する。次いで、フィルム２０ｇの裏面にもフィルム２０ｆを重ね合わせて、同様のヒータで加熱溶着する。この製造方法によっても、ミキシングシート２０を得ることができる。
【００３１】
ミキシングシート２０は、前記材質によって製造されており柔軟性を備えている。すなわち、ミキシングシート２０は、手指等で押しつぶせる程度の柔軟性を備え、手指等で流入口２１から吐出口２２に向かって順次押しつぶすことにより、混合用通路２４内を薬剤Ａ、Ｂが通過する過程で、これらを混合する。また、ミキシングシート２０が柔軟性を備えていることにより、混合用通路２４を押し潰すことができるため、混合した薬剤を略完全に絞り出すことができ、材料の無駄を少なくすることができる。
【００３２】
次いで、このように構成された薬剤充填袋１０ａ、１０ｂ及びミキシングシート２０の使用方法について説明する。
まず、混合すべき薬剤Ａ、Ｂのそれぞれに対して耐性のある材質を選択する。そして、薬剤Ａに耐性のある材質からなる薬剤充填袋１０ａと、薬剤Ｂに耐性のある薬剤充填袋１０ｂを製造する。このとき、薬剤の出入口となる開閉端部１１は溶着せず、他の三辺のみ溶着する。次いで、薬剤Ａ、Ｂをそれぞれに充填する。充填される薬剤の量は、混合比を考慮して、混合に必要な量とする。
【００３３】
この薬剤の物性に適したフィルムとは、例えば、気密性を必要とする薬剤の場合には気密性に優れた金属、ＥＶＯＨ樹脂からなるフィルムをラミネートしたフィルムである。また、薬剤の成分がラミネートの接着を破壊する現象（デラミ現象）を引き起こす場合には、共押出品のフィルムが使用される。この共押出品とは、複数の樹脂が固化する前の状態で、複数のフィルムを貼り合わせる公知の製造方法によって得られる。
【００３４】
薬剤充填袋１０ａ、１０ｂに薬剤Ａ、Ｂをそれぞれ充填した後、開閉端部１１を溶着する。開閉端部１１は、ミキシングシート２０の使用時に剥離しやすくする必要があり、他の端部より低い温度で溶着する。このように低い温度で溶着することにより、この開閉端部１１の接着力は他の端部より弱くなり、開口しやすくなる。
【００３５】
前記ミキシングシート２０は、５枚のフィルム２０ａ〜２０ｅを重ね合わせることにより形成されており、第１薬剤充填袋１０ａ、第２薬剤充填袋１０ｂをそれぞれ挿入する収納部２３が形成されている。
次いで、図５に示すように、それぞれ薬剤Ａ、Ｂを封入した薬剤充填袋１０ａ、１０ｂを、ミキシングシート２０の開口部２５から、それぞれ収納部２３内へ挿入する。これらの薬剤充填袋１０ａ、１０ｂは、互いに重なるように格納され、共に、開閉端部１１が混合用通路２４側を向くように配置される。
【００３６】
このようにすれば、薬剤充填袋１０ａ、１０ｂの開閉端部１１とミキシングシートの流入口２１とが突き当たり、薬剤充填袋１０ａ、１０ｂからミキシングシート２０の流入口２１を介して混合用通路２４に薬剤Ａ、Ｂを導くことができる。
【００３７】
図６は、薬剤充填袋１０ａ、１０ｂに比べ、容量が少ない薬剤充填袋１０ｃを、さらに加えて格納する状態を示し、合計３個の薬剤充填袋１０ａ、１０ｂｂ、及び１０ｃが収納部２３に格納される。このようにして、三種類の薬剤が、混り合うことなく、別々に薬剤充填袋１０ａ〜１０ｃ内で保管される。
図５、６に示すような場合、薬剤充填袋を収納部２３に格納した後、図７に示すように開口部２５を溶着してもよく、または、そのまま開放した状態でもよい。開口部２５を溶着しない場合は、クリップ等の留具やチャックを用いて、開口部２５の一部または全部を開閉自在してもよい。
【００３８】
したがって、前記薬剤の種類や量は、製造工程において、またはエンドユーザーにおいて適宜選択し、ミキシングシート２０内に格納することが可能である。例えば、冬期等で薬剤の粘度が高くなる場合には粘度調整剤を添加するため、少量の粘度調整剤が充填された薬剤充填袋を、二個の薬剤に追加する等の要求を簡単に満たすことができ、常に使用状況に適した薬剤及びその量の選択が可能になる。このような場合、開口部２５を開閉自在にしておくことで、容易に対応することができる。
【００３９】
次に、図７に示すように、薬剤Ａ、Ｂの使用時にミキシングシート２０の外部から薬剤充填袋１０ａ、１０ｂが押圧されるように収納部２３を加圧する。そして、開口した開閉端部１１から流出した薬剤Ａ、Ｂを矢印方向に流れるようにして、ミキシングシート２０の混合用通路２４に導く。その後、ミキシングシート２０を、その流入口２１から吐出口２２に向けて順次押し潰すことにより、薬剤がミキシングシート２０の内部に形成された混合用通路２４内を流れて混合され、吐出口２２から押し出される。
【００４０】
このように薬剤充填袋１０ａ、１０ｂを用いることにより、混合する薬剤に最適な環境で薬剤の保管ができるため、薬剤の使用期限を長くすることが可能となる。また、ミキシングシート２０は、薬剤の物性に全く影響されずその材質を選択できるため、ミキシングシート２０自体において本来的に要求される耐久性、柔軟性を重視した材質の選択ができるので、容易に所望の耐久性、柔軟性を満たすことができる。さらに、薬剤Ａ、Ｂを直接ミキシングシート２０に充填しないため、充填時の漏れを防止できる。また、使用時に薬剤を充填する煩わしさがなく、いつでも使用できる状態（ミキシングシート内に薬剤が保存された状態）での保管が可能となる。
【００４１】
なお、図１に示す薬剤充填袋１０ａ、１０ｂは、薬剤Ａ、Ｂの出入口となる一辺の開閉端部１１を含む四辺を溶着することにより形成したが、図４に示すように、一枚のシートを折り返し、開閉端部１１以外の二辺を溶着して袋状に形成し、薬剤を充填した後に開閉端部１１を溶着することにより形成してもよい。本発明に係る薬剤充填袋１０ａ、１０ｂは、薬剤を収納できる構造であればよく、これらの構造に限定されるものではない。
【図面の簡単な説明】
【００４２】
【図１】本発明の実施の形態に係る薬剤充填袋とミキシングシートの平面図である。
【図２】ミキシングシートを形成するフィルムの平面図である。
【図３】他の実施の形態に係るミキシングシートを形成するフィルムの平面図である。
【図４】薬剤充填袋の他の例を示す斜視図である。
【図５】ミキシングシートの収納部に薬剤充填袋を格納する状態を示す図である。
【図６】ミキシングシートの収納部に薬剤充填袋を格納する状態を示す他の例を示す図である。
【図７】収納部内の薬剤充填袋を押しつぶし、薬剤を混合用通路に流し込む状態を示す図である。
【符号の説明】
【００４３】
１０ａ、１０ｂ、１０ｃ  薬剤充填袋
１１  開閉端部
１３  周端
２０  ミキシングシート
２０ａ、２０ｂ、２０ｃ、２０ｄ、２０ｅ、２０ｆ、２０ｇ  フィルム
２１  流入口
２２  吐出口
２３  収納部
２４  混合用通路
２５  開口部
Ａ、Ｂ  薬剤
【図１】
2007268447.tif 000003
【図２】
2007268447.tif 000004
【図３】
2007268447.tif 000005
【図４】
2007268447.tif 000006
【図５】
2007268447.tif 000007
【図６】
2007268447.tif 000008
【図７】
2007268447.tif 000009